(57)【要約】【課題】本発明の実施形態は、インターフェースを表示するための方法及び装置を開示する。【解決手段】本方法の具体的な実施形態は、接続確立済みデバイスのデバイス関連情報を取得するステップと、接続確立済みデバイスのデバイス関連情報に対応するインターフェース表示情報を照会するステップと、インターフェース表示情報に基づいて、対応するインターフェースを表示するステップとを含む。本実施形態において、知能端末は、接続確立済みデバイスに基づいて対応するインターフェースを表示して、ユーザの情報取得効率を向上させることができる。【選択図】図２
2020005247.tif 000002
【特許請求の範囲】
【請求項１】
インターフェースを表示するための方法であって、
接続確立済みデバイスのデバイス関連情報を取得するステップと、
前記接続確立済みデバイスのデバイス関連情報に対応するインターフェース表示情報を照会するステップと、
前記インターフェース表示情報に基づいて、対応するインターフェースを表示するステップと、
を含む方法。
【請求項２】
前記デバイス関連情報は、前記接続確立済みデバイスのデバイスタイプ情報および／または前記接続確立済みデバイスの場面情報を含む請求項１に記載の方法。
【請求項３】
前記接続確立済みデバイスのデバイス関連情報に対応するインターフェース表示情報を照会するステップは、
前記接続確立済みデバイスのデバイスタイプ情報に対応するインターフェース表示情報を照会するステップを含む請求項１または２に記載の方法。
【請求項４】
前記接続確立済みデバイスのデバイス関連情報に対応するインターフェース表示情報を照会するステップは、
前記接続確立済みデバイスの場面情報に対応するインターフェース表示情報を照会するステップを含む請求項１または２に記載の方法。
【請求項５】
前記インターフェース表示情報に基づいて、対応するインターフェースを表示するステップは、
インターフェース表示情報に基づいて、少なくとも１つのアプリケーションインターフェースを含むインターフェースを確定するステップと、
前記少なくとも１つのアプリケーションインターフェースのそれぞれに対して、当該アプリケーションインターフェースと対応するアプリケーションとの接続を確立するステップと、
対応するアプリケーションの実行状態情報をアプリケーションインターフェースに表示するステップと、
を含む請求項１に記載の方法。
【請求項６】
対応するアプリケーションの実行状態情報をアプリケーションインターフェースに表示するステップは、
前記接続確立済みデバイスとアプリケーションとの接続確立に応答して、前記接続確立済みデバイスの実行状態情報を、当該アプリケーションに対応するアプリケーションインターフェースに表示するステップを含む請求項５に記載の方法。
【請求項７】
前記インターフェースは、受信された音声信号に基づいて前記インターフェース表示情報を制御するための音声制御アプリケーションインターフェースを含む請求項１に記載の方法。
【請求項８】
前記インターフェースは、前記インターフェースに対応するプッシュ情報を表示するための情報プッシュインターフェースを含む請求項１に記載の方法。
【請求項９】
前記インターフェースは、
場面情報に対応する少なくとも１つのアプリケーションを確定するステップと、
前記少なくとも１つのアプリケーションのそれぞれに対して、場面情報に基づいて、当該アプリケーションの表示優先度およびアプリケーション状態識別子を設定するステップであって、前記アプリケーション状態識別子は、対応するアプリケーションの実行状態情報を示すものである、ステップと、
表示優先度に従ってアプリケーションのアプリケーションインターフェースを設置し、アプリケーション状態識別子を対応するアプリケーションインターフェースに表示するステップと、
によって構築される請求項１に記載の方法。
【請求項１０】
インターフェースを表示するための装置であって、
接続確立済みデバイスのデバイス関連情報を取得するように構成されているデバイス関連情報取得ユニットと、
前記接続確立済みデバイスのデバイス関連情報に対応するインターフェース表示情報を照会するように構成されているインターフェース表示情報照会ユニットと、
前記インターフェース表示情報に基づいて、対応するインターフェースを表示するように構成されているインターフェース表示ユニットと、
を含む装置。
【請求項１１】
前記デバイス関連情報は、前記接続確立済みデバイスのデバイスタイプ情報および／または前記接続確立済みデバイスの場面情報を含む請求項１０に記載の装置。
【請求項１２】
前記インターフェース表示情報照会ユニットは、
前記接続確立済みデバイスのデバイスタイプ情報に対応するインターフェース表示情報を照会するように構成されている第１の照会サブユニットを含む請求項１０または１１に記載の装置。
【請求項１３】
前記インターフェース表示情報照会ユニットは、
前記接続確立済みデバイスの場面情報に対応するインターフェース表示情報を照会するように構成されている第２の照会サブユニットを含む請求項１０または１１に記載の装置。
【請求項１４】
前記インターフェース表示ユニットは、
インターフェース表示情報に基づいて、少なくとも１つのアプリケーションインターフェースを含むインターフェースを確定するように構成されているインターフェース確定サブユニットと、
前記少なくとも１つのアプリケーションインターフェースのそれぞれに対して、当該アプリケーションインターフェースとその対応するアプリケーションとの接続を確立するように構成されている接続確立サブユニットと、
対応するアプリケーションの実行状態情報をアプリケーションインターフェースに表示するように構成されている表示サブユニットと、
を含む請求項１０に記載の装置。
【請求項１５】
前記表示サブユニットは、
前記接続確立済みデバイスとアプリケーションとの接続確立に応答して、前記接続確立済みデバイスの実行状態情報を、当該アプリケーションに対応するアプリケーションインターフェースに表示するように構成されている表示モジュールを含む請求項１４に記載の装置。
【請求項１６】
前記インターフェースは、受信された音声信号に基づいて前記インターフェース表示情報を制御するための音声制御アプリケーションインターフェースを含む請求項１０に記載の装置。
【請求項１７】
前記インターフェースは、前記インターフェースに対応するプッシュ情報を表示するための情報プッシュインターフェースを含む請求項１０に記載の装置。
【請求項１８】
インターフェースを構築するように構成されているインターフェース構築ユニットを含み、
前記インターフェース構築ユニットは、
場面情報に対応する少なくとも１つのアプリケーションを確定するように構成されているアプリケーション確定サブユニットと、
前記少なくとも１つのアプリケーションのそれぞれに対して、場面情報に基づいて、当該アプリケーションの表示優先度およびアプリケーション状態識別子を設定するように構成されている情報設定サブユニットであって、前記アプリケーション状態識別子は、対応するアプリケーションの実行状態情報を示すものである、情報設定サブユニットと、
表示優先度に従ってアプリケーションのアプリケーションインターフェースを設置し、アプリケーション状態識別子を対応するアプリケーションインターフェースに表示するように構成されているインターフェース構築サブユニットと、を含む請求項１０に記載の装置。
【請求項１９】
電子機器であって、
一つ又は複数のプロセッサと、
一つ又は複数のプログラムが記憶されている記憶装置と、を備え、
前記一つ又は複数のプログラムが前記一つ又は複数のプロセッサにより実行されると、前記一つ又は複数のプロセッサに請求項１〜９の何れか一つに記載の方法を実現させる電子機器。
【請求項２０】
コンピュータプログラムが記憶されているコンピュータ可読媒体であって、
当該プログラムがプロセッサにより実行されると、請求項１〜９の何れか一つに記載の方法を実現させるコンピュータ可読媒体。
【発明の詳細な説明】
【技術分野】
【０００１】
本発明の実施形態は、データ処理技術の分野に関し、具体的にインターフェースを表示するための方法及び装置に関する。
【背景技術】
【０００２】
技術の発展に伴い、スマートデバイスの機能はますます豊富になっている。ユーザは、仕事や生活のニーズを満たすように、異なる場面に対して異なるスマートデバイスを設置して、ユーザの情報化レベルを向上させることができる。例えば、ユーザは、自動車を運転するとき、ＧＰＳ（全地球測位システム）装置に電子地図を表示させ、居間にいるとき、スマートサウンドシステムに音楽を再生させることが可能である。
【発明の概要】
【０００３】
本発明の実施形態は、インターフェースを表示するための方法及び装置を提出する。
【０００４】
第一局面として、本発明の実施形態は、インターフェースを表示するための方法であって、接続確立済みデバイスのデバイス関連情報を取得するステップと、前記接続確立済みデバイスのデバイス関連情報に対応するインターフェース表示情報を照会するステップと、前記インターフェース表示情報に基づいて、対応するインターフェースを表示するステップと、を含む方法を提供する。
【０００５】
一部の実施形態において、前記デバイス関連情報は、前記接続確立済みデバイスのデバイスタイプ情報および／または前記接続確立済みデバイスの場面情報を含む。
【０００６】
一部の実施形態において、前記接続確立済みデバイスのデバイス関連情報に対応するインターフェース表示情報を照会するステップは、前記接続確立済みデバイスのデバイスタイプ情報に対応するインターフェース表示情報を照会するステップを含む。
【０００７】
一部の実施形態において、前記接続確立済みデバイスのデバイス関連情報に対応するインターフェース表示情報を照会するステップは、前記接続確立済みデバイスの場面情報に対応するインターフェース表示情報を照会するステップを含む。
【０００８】
一部の実施形態において、前記インターフェース表示情報に基づいて、対応するインターフェースを表示するステップは、インターフェース表示情報に基づいて、少なくとも１つのアプリケーションインターフェースを含むインターフェースを確定するステップと、前記少なくとも１つのアプリケーションインターフェースのそれぞれに対して、当該アプリケーションインターフェースとその対応するアプリケーションとの接続を確立するステップと、対応するアプリケーションの実行状態情報をアプリケーションインターフェースに表示するステップと、を含む。
【０００９】
一部の実施形態において、対応するアプリケーションの実行状態情報をアプリケーションインターフェースに表示するステップは、前記接続確立済みデバイスとアプリケーションとの接続確立に応じて、前記接続確立済みデバイスの実行状態情報を、当該アプリケーションに対応するアプリケーションインターフェースに表示するステップを含む。
【００１０】
一部の実施形態において、前記インターフェースは、受信された音声信号に基づいて前記インターフェース表示情報を制御するための音声制御アプリケーションインターフェースを含む。
【００１１】
一部の実施形態において、前記インターフェースは、前記インターフェースに対応するプッシュ情報を表示するための情報プッシュインターフェースを含む。
【００１２】
一部の実施形態において、前記インターフェースは、場面情報に対応する少なくとも１つのアプリケーションを確定するステップと、前記少なくとも１つのアプリケーションのそれぞれに対して、場面情報に基づいて、当該アプリケーションの表示優先度およびアプリケーション状態識別子を設定するステップであって、前記アプリケーション状態識別子は、対応するアプリケーションの実行状態情報を示すものである、ステップと、表示優先度に従ってアプリケーションのアプリケーションインターフェースを設置し、アプリケーション状態識別子を対応するアプリケーションインターフェースに表示するステップと、によって構築される。
【００１３】
第二局面として、本発明の実施形態は、インターフェースを表示するための装置であって、接続確立済みデバイスのデバイス関連情報を取得するように構成されているデバイス関連情報取得ユニットと、前記接続確立済みデバイスのデバイス関連情報に対応するインターフェース表示情報を照会するように構成されているインターフェース表示情報照会ユニットと、前記インターフェース表示情報に基づいて、対応するインターフェースを表示するように構成されているインターフェース表示ユニットと、を含む装置を提供する。
【００１４】
一部の実施形態において、前記デバイス関連情報は、前記接続確立済みデバイスのデバイスタイプ情報および／または前記接続確立済みデバイスの場面情報を含む。
【００１５】
一部の実施形態において、前記インターフェース表示情報照会ユニットは、前記接続確立済みデバイスのデバイスタイプ情報に対応するインターフェース表示情報を照会するように構成されている第１の照会サブユニットを含む。
【００１６】
一部の実施形態において、前記インターフェース表示情報照会ユニットは、前記接続確立済みデバイスの場面情報に対応するインターフェース表示情報を照会するように構成されている第２の照会サブユニットを含む。
【００１７】
一部の実施形態において、前記インターフェース表示ユニットは、インターフェース表示情報に基づいて、少なくとも１つのアプリケーションインターフェースを含むインターフェースを確定するように構成されているインターフェース確定サブユニットと、前記少なくとも１つのアプリケーションインターフェースのそれぞれに対して、当該アプリケーションインターフェースとその対応するアプリケーションとの接続を確立するように構成されている接続確立サブユニットと、対応するアプリケーションの実行状態情報をアプリケーションインターフェースに表示するように構成されている表示サブユニットと、を含む。
【００１８】
一部の実施形態において、前記表示サブユニットは、前記接続確立済みデバイスとアプリケーションとの接続確立に応じて、前記接続確立済みデバイスの実行状態情報を、当該アプリケーションに対応するアプリケーションインターフェースに表示するように構成されている表示モジュールを含む。
【００１９】
一部の実施形態において、前記インターフェースは、受信された音声信号に基づいて前記インターフェース表示情報を制御するための音声制御アプリケーションインターフェースを含む。
【００２０】
一部の実施形態において、前記インターフェースは、前記インターフェースに対応するプッシュ情報を表示するための情報プッシュインターフェースを含む。
【００２１】
一部の実施形態において、前記装置は、インターフェースを構築するように構成されているインターフェース構築ユニットを含み、前記インターフェース構築ユニットは、場面情報に対応する少なくとも１つのアプリケーションを確定するように構成されているアプリケーション確定サブユニットと、前記少なくとも１つのアプリケーションのそれぞれに対して、場面情報に基づいて、当該アプリケーションの表示優先度およびアプリケーション状態識別子を設定するように構成されている情報設定サブユニットであって、前記アプリケーション状態識別子は、対応するアプリケーションの実行状態情報を示すものである、情報設定サブユニットと、表示優先度に従ってアプリケーションのアプリケーションインターフェースを設置し、アプリケーション状態識別子を対応するアプリケーションインターフェースに表示するように構成されているインターフェース構築サブユニットと、を含む。
【００２２】
第三局面として、本発明の実施形態は、電子機器であって、一つ又は複数のプロセッサと、一つ又は複数のプログラムが記憶されている記憶装置と、を備え、前記一つ又は複数のプログラムが前記一つ又は複数のプロセッサにより実行されると、前記一つ又は複数のプロセッサに第一局面の方法を実現させる電子機器を提供する。
【００２３】
第四局面として、本発明の実施形態は、コンピュータプログラムが記憶されているコンピュータ可読媒体であって、当該プログラムがプロセッサにより実行されると、第一局面の方法を実現させるコンピュータ可読媒体を提供する。
【００２４】
本発明の実施形態により提供されるインターフェースを表示するための方法及び装置において、まず、接続確立済みデバイスのデバイス関連情報を取得し、次に、接続確立済みデバイスのデバイス関連情報に対応するインターフェース表示情報を照会し、最後に、インターフェース表示情報に基づいて、対応するインターフェースを表示する。これにより、知能端末は、接続確立済みデバイスに基づいて対応するインターフェースを表示して、ユーザの情報取得効率を向上させることができる。
【図面の簡単な説明】
【００２５】
以下の図面を参照してなされた制限的でない実施形態に対する詳細的な説明により、本発明の他の特徴、目的及び利点はより明らかになる。
【図１】本発明の一実施形態を適用可能な例示的なシステムアーキテクチャ図である。
【図２】本発明によるインターフェースを表示するための方法の一実施形態のフローチャートである。
【図３】本発明によるインターフェースを表示するための方法の適用場面の模式図である。
【図４】本発明による表示インターフェースを構築する一実施形態のフローチャートである。
【図５】本発明によるインターフェースを表示するための装置の一実施形態の構成の模式図である。
【図６】本発明の一実施形態の電子機器を実現するのに適するコンピュータシステムの構成の模式図である。
【発明を実施するための形態】
【００２６】
以下、図面及び実施形態を参照しながら本発明をより詳細に説明する。ここで説明する具体的な実施形態は、関連の発明を説明するものに過ぎず、当該発明を限定するものではないことは理解すべきである。ただし、説明の便宜上、図面には発明に関連する部分のみが示されている。
【００２７】
なお、矛盾しない限り、本発明の実施形態及び実施形態における特徴を相互に組み合せてもよい。以下、図面及び実施形態を参照しながら本発明を詳細に説明する。
【００２８】
図１は、本発明の実施形態を適用可能なインターフェースを表示するための方法またはインターフェースを表示するための装置の例示的なシステムアーキテクチャ１００を示す。
【００２９】
図１に示すように、システムアーキテクチャ１００は、端末装置１０１、１０２、１０３、知能端末１０４、１０５、１０６、ネットワーク１０７、１０８、およびサーバ１０９を含むことができる。ネットワーク１０７は、異なる環境における知能端末１０４、１０５、１０６と端末装置１０１、１０２、１０３との間で通信リンクの媒体を提供するために用いられる。ネットワーク１０８は、知能端末１０４、１０５、１０６とサーバ１０９との間で通信リンクの媒体を提供するために用いられる。ネットワーク１０７、１０８は、有線、無線通信リンク又は光ケーブルなどのような各種の接続タイプを含んでもよい。
【００３０】
ユーザは、ネットワーク１０７を使用して知能端末１０４、１０５、１０６と端末装置１０１、１０２、１０３との間のインタラクションを確立し、ネットワーク１０８を介して知能端末１０４、１０５、１０６とサーバ１０９との間のインタラクションを確立することができる。知能端末１０４、１０５、１０６には、電子地図アプリケーション、音楽制御アプリケーション、通信アプリケーション、インスタントコミュニケーションツール、ソーシャルプラットフォームソフトウェアなどの様々なデータ処理アプリケーションがインストールされてもよい。
【００３１】
知能端末１０４、１０５、１０６は、ハードウェアであっても、ソフトウェアであってもよい。知能端末１０４、１０５、１０６がハードウェアである場合、スマートフォン、タブレットコンピュータ、ラップトップポータブルコンピュータ、およびデスクトップコンピュータなどのような、表示画面を有しインターフェース制御をサポートする様々な電子機器を含んでもよいが、これらに限定されない。知能端末１０４、１０５、１０６がソフトウェアである場合、上記電子機器にインストールされてもよい。それは、複数のソフトウェア又はソフトウェアモジュール（例えば、分散サービスを提供するためのもの）として実現されてもよく、又は単一のソフトウェア又はソフトウェアモジュールとして実現されてもよい。ここで特に限定されない。
【００３２】
サーバ１０９は、知能端末１０４、１０５、１０６に表示されたインターフェースのサポートを提供するサーバなどのような、様々なサービスを提供するサーバであってもよい。サーバは、知能端末１０４、１０５、１０６に接続されている端末装置１０１、１０２、１０３に基づいて、知能端末１０４、１０５、１０６のインターフェースを調整して、対応情報を表示することができる。
【００３３】
なお、本発明の実施形態によるインターフェースを表示するための方法は、一般的に知能端末１０４、１０５、１０６によって実行され、これに応じて、インターフェースを表示するための装置は、一般的に知能端末１０４、１０５、１０６に配置される。
【００３４】
なお、サーバは、ハードウェアでもソフトウェアでもよい。サーバがハードウェアである場合、複数のサーバから構成される分散サーバクラスターとしても、単一のサーバとしても実現可能である。サーバがソフトウェアである場合、複数のソフトウェア又はソフトウェアモジュール（例えば、分散サービスを提供するためのもの）として実現されてもよく、又は単一のソフトウェア又はソフトウェアモジュールとして実現されてもよい。ここで特に限定されない。
【００３５】
図１における端末装置、知能端末、ネットワーク及びサーバの数は、模式的なものにすぎないことを理解すべきである。必要に応じて、任意の数の端末装置、知能端末、ネットワーク及びサーバを有してもよい。
【００３６】
続いて、図２を参照すると、本発明によるインターフェースを表示するための方法の一実施形態のフロー２００を示す。インターフェースを表示するための方法は、次のステップを含む。
【００３７】
ステップ２０１において、接続確立済みデバイスのデバイス関連情報を取得する。
【００３８】
本実施形態において、インターフェースを表示するための方法の実行主体（例えば、図１に示す知能端末１０４、１０５、１０６）は、有線接続または無線接続によって端末装置１０１、１０２、１０３（即ち、上記接続確立済みデバイス）に接続することができる。なお、上記無線接続方式は、３Ｇ／４Ｇ接続、ＷｉＦｉ（登録商標）接続、Ｂｌｕｅｔｏｏｔｈ（登録商標）接続、ＷｉＭＡＸ接続、Ｚｉｇｂｅｅ（登録商標）接続、ＵＷＢ（ウルトラワイドバンド）接続、および現在知られているかまたは将来開発される他の無線接続方法を含んでもよいが、これらに限定されない。
【００３９】
一般的に、ある場面において、ユーザは、ユーザのニーズを満たすように、当該場面でのスマートデバイスを設定することができる。例えば、ユーザが運転している場合、ユーザは一般的に道路状況情報に対して関心がある。このとき、知能端末を用いて電子地図を表示することができる。運転過程中にユーザが電話をかける又は受ける必要がある場合、通常、電子地図インターフェースを終了して電話に応答するために、知能端末を手動で操作する必要がある。安全上の理由から、ユーザが知能端末を操作する場合、車両を車両停止区域に駐車することもできる。即ち、ユーザは複数のアプリケーションを使用する可能性があるものの、知能端末のアプリケーションを操作すること、或いは知能端末の複数のアプリケーションを同時に操作することは適しない場面がある。
【００４０】
このために、本発明の実行主体は、まず、端末装置１０１、１０２、１０３と接続を確立し、その後、端末装置１０１、１０２、１０３に対応するデバイス関連情報を取得することができる。デバイス関連情報は、装置名、装置ハードウェア構成要素、および装置ソフトウェアバージョンなどの情報を含んでもよい。例えば、ユーザは、Ｂｌｕｅｔｏｏｔｈなどの方式を用いて知能端末１０５と端末装置１０１との間の接続を確立することができる。端末装置１０１は、知能端末１０５を設置するための車載用ホルダーであるため、知能端末１０５と端末装置１０１との接続が確立された後に、知能端末１０５は、端末装置１０１のデバイス関連情報を取得することができる。ここで、デバイス関連情報は、端末装置１０１のＢｌｕｅｔｏｏｔｈ名（例えば、Ｂｌｕｅｔｏｏｔｈ名は、車載用携帯電話ホルダーである）、機種情報などであってもよい。
【００４１】
本実施形態のいくつかの選択的な実施形態において、上記デバイス関連情報は、上記接続確立済みデバイスのデバイスタイプ情報および／または上記接続確立済みデバイスの場面情報を含んでもよい。
【００４２】
端末装置１０１、１０２、１０３のデバイス関連情報は、複数の種類を含んでもよい。例えば、基本情報、オペレーティングシステム情報、ネットワーク情報、特性情報、補助機能情報などであってもよい。また、デバイス関連情報は、デバイスタイプ情報および／または場面情報をさらに含んでもよい。ここで、デバイスタイプ情報は、接続確立済みデバイスのハードウェアコンポーネントまたはソフトウェアコンポーネントを表すためのものであり、場面情報は、接続確立済みデバイスの応用場面を表すためのものであってもよい。例えば、端末装置１０１が車載用携帯電話ホルダーである場合、端末装置１０１に対応するデバイスタイプ情報は携帯電話ホルダーであり、場面情報は運転場面であってもよい。端末装置１０２がホームオーディオである場合、端末装置１０２に対応するデバイスタイプはオーディオであり、場面情報は屋内場面であってもよい。端末装置１０３がスポーツ用ヘッドセットである場合、端末装置１０３に対応するデバイスタイプはヘッドセットであり、場面情報は屋外場面等であってもよい。
【００４３】
ステップ２０２において、上記接続確立済みデバイスのデバイス関連情報に対応するインターフェース表示情報を照会する。
【００４４】
異なる端末装置１０１、１０２、１０３は、異なる応用場面に適用することができる。端末装置に対応するデバイス関連情報を取得した後、本発明の実行主体は、デバイス関連情報を用いて、デバイスのインターフェース表示情報を確定することができる。ここで、上記インターフェース表示情報は、インターフェースのインターフェース属性を調整するためのものであってもよい。ここで、インターフェース属性は、レイアウト、画像サイズ、および表示輝度などの情報を含んでもよい。
【００４５】
本実施形態のいくつかの選択的な実施形態において、上記接続確立済みデバイスのデバイス関連情報に対応するインターフェース表示情報を照会することは、接続確立済みデバイスのデバイスタイプ情報に対応するインターフェース表示情報を照会することを含んでもよい。
【００４６】
異なる端末装置１０１、１０２、１０３は、自身の応用場面をそれぞれ有してもよく、応用場面によって、応用に対するユーザのニーズもそれぞれ異なってもよい。ユーザが実行主体によって端末装置１０１、１０２、１０３との接続を確立した後、本実施形態の実行主体は、デバイスタイプ情報に基づいて、対応するインターフェース表示情報を照会することができる。例えば、端末装置１０２がホームオーディオであり、対応するデバイスタイプ情報はオーディオである場合、対応するインターフェース表示情報は、音楽類のアプリケーションの画像およびレイアウト位置などのインターフェース属性を調整することができる。
【００４７】
本実施形態のいくつかの選択的な実施形態において、上記接続確立済みデバイスのデバイス関連情報に対応するインターフェース表示情報を照会することは、接続確立済みデバイスの場面情報に対応するインターフェース表示情報を照会することを含んでもよい。
【００４８】
以上の説明から分かるように、端末装置１０１、１０２、１０３のデバイス関連情報は、場面情報をさらに含んでもよい。ユーザが実行主体によって端末装置１０１、１０２、１０３との接続を確立した後、実施形態の実行主体は、場面情報に基づいて、対応するインターフェース表示情報を照会することができる。例えば、端末装置１０２がホームオーディオであり、対応する場面情報が屋内場面である場合、対応するインターフェース表示情報は、屋内場面に基づいて音楽類のアプリケーションの画像およびレイアウト位置などのインターフェース属性を調整することができる。
【００４９】
ステップ２０３において、上記インターフェース表示情報に基づいて、対応するインターフェースを表示する。
【００５０】
インターフェース表示情報を取得した後、実行本体は、インターフェース表示情報に基づいて、実行本体の画面に表示しようとするインターフェースを調整し、調整されたインターフェースを実行本体の画面に表示することができる。
【００５１】
本実施形態のいくつかの選択的な実施形態において、上記インターフェース表示情報に基づいて、対応するインターフェースを表示することは、次のステップを含んでもよい。
【００５２】
ステップ１において、インターフェース表示情報に基づいてインターフェースを確定する。
【００５３】
ユーザが実行本体によって端末装置１０１、１０２、１０３との間の接続を確立したが、これは、ユーザが端末装置１０１、１０２、１０３と相対的近い距離にあることを示し、ユーザと端末装置１０１、１０２、１０３とは同じ場面にあると考えられる。したがって、端末装置１０１、１０２、１０３のデバイスタイプ情報および／または場面情報は、ユーザの位置する場面を表すことができる。実行本体は、インターフェースが対応場面におけるユーザのニーズを満たすように、デバイスタイプ情報および／または場面情報に対応するインターフェース表示情報に基づいて、ユーザの位置する場面に対応するインターフェースを構築することができる。インターフェースは、少なくとも１つのアプリケーションインターフェースを含んでもよい。例えば、端末装置１０１が車載用携帯電話ホルダーである場合、デバイスタイプ情報は携帯電話ホルダーとし、場面情報は車載の場面としてもよい。それに応じて、インターフェース表示情報について、ユーザの運転時に使い得るアプリケーションに対応するインターフェースが捜し出されることが可能である。例えば、インターフェースは、電子地図インターフェース、音楽インターフェース、および電話インターフェースなどを含んでもよい。
【００５４】
ステップ２において、少なくとも１つのアプリケーションインターフェースのそれぞれに対して、当該アプリケーションインターフェースと対応するアプリケーションとの間の接続を確立する。
【００５５】
インターフェースを確定した後、実行主体は、実行本体にインストールされた、インターフェースに含まれたアプリケーションインターフェースに対応するアプリケーションを照会することができる。その後、実行本体は、アプリケーションインターフェースと当該アプリケーションインターフェースに対応するアプリケーションとの間の接続を確立することができる。例えば、アプリケーションインターフェースは、電子地図インターフェース、音楽インターフェース、および電話インターフェースを含んでもよい。実行主体は、実行主体にインストールされた地図アプリケーション、音楽アプリケーション、及び電話アプリケーションを別々に捜し出すことができる。そして、電子地図インターフェースと地図アプリケーション、音楽インターフェースと音楽アプリケーション、電話インターフェースと電話アプリケーションとの間のデータ接続をそれぞれ確立する。
【００５６】
ステップ３において、対応するアプリケーションの実行状態情報をアプリケーションインターフェースに表示する。
【００５７】
アプリケーションインターフェースとアプリケーションとの間のデータ接続を確立した後、実行主体は、対応するアプリケーションの実行状態情報をアプリケーションインターフェースに表示することができる。例えば、運転場面において、アプリケーションインターフェースは、電子地図インターフェース、音楽インターフェース、および電話インターフェースを含んでもよい。それに対応して、各アプリケーションインターフェースは、対応するアプリケーションの実行状態情報を表示する。即ち、電子地図インターフェースは、電子地図内の車両の位置情報を表示し、音楽インターフェースは、ユーザによって選択された音楽を表示し、電話インターフェースは、現在の通話状態を表示することができる。これにより、ユーザは、実行主体のインターフェースにおいて、場面に対応する複数のアプリケーションの実行状態情報を同時に取得することができる。これにより、ユーザの現在の場面に対する実行主体の適応能力を向上させるだけでなく、異なるアプリケーションに対するユーザの操作ステップも削減し、複数の情報をユーザに同時に提供して、ユーザの情報取得効率を向上させ、ユーザの所在する場面におけるニーズを満たすことができる。さらに、実行主体と端末装置との間の接続を確立することは、端末装置のスマートレベルおよび当該場面でのユーザのセキュリティをある程度改善する。
【００５８】
本実施形態のいくつかの選択的な実施形態において、上記対応するアプリケーションの実行状態情報をアプリケーションインターフェースに表示することは、上記接続確立済みデバイスとアプリケーションとの接続確立に応じて、上記接続確立済みデバイスの実行状態情報、当該アプリケーションに対応するアプリケーションインターフェース内に表示することを含んでもよい。
【００５９】
本発明の実行主体が接続確立済みデバイスとデータ接続を確立した後、実行主体は、接続確立済みデバイスに基づいて、ユーザの位置する場面を確定し、当該場面に対応する情報を表示することができる。接続確立済みデバイスと、あるアプリケーションインターフェースに対応するアプリケーションとの間に関連性がある場合、当該接続確立済みデバイスとアプリケーションとの間のデータ接続を確立してもよい。例えば、端末装置がカーオーディオであり、場面に対応するインターフェースが音楽インターフェースを含む場合、音楽アプリケーションとカーオーディオとの間のデータ接続を確立した後、音楽アプリケーションにより再生される音楽をカーオーディオを通じて再生することができる。同時に、カーオーディオの動作状態情報（動作状態情報は、現在再生中の音楽の再生状態であってもよい）をアプリケーションインターフェースに表示することができる。これにより、接続確立済みデバイスによって、ユーザの位置する場面を確定し、当該場面に対応する情報を表示するだけでなく、接続確立済みデバイスによって一部のアプリケーションの機能を実現して、ユーザの所在する場面に対する実行主体の適応性を向上させることができる。同時に、実行主体とデータ接続を確立した後、実行主体によって接続確立済みデバイスに対する制御を実現することもでき、当該デバイスのスマートレベルおよびユーザエクスペリエンスをある程度改善することができる。
【００６０】
実行主体は、複数のデバイスと同時に接続を確立することもできる。実行主体との接続が確立された複数のデバイスがすべて同じ場面情報に対応する場合、上記のようにインターフェースを表示することができる。複数のデバイスが異なる場面情報に対応する場合、プロンプト信号（例えば、プロンプトウィンドウなど）を送信し、ユーザにより特定の場面情報が確定された後に、上記ステップを実行することができる。
【００６１】
本実施形態のいくつかの選択的な実施形態において、インターフェースは、受信された音声信号に基づいて上記インターフェース表示情報を制御するための音声制御アプリケーションインターフェースを含んでもよい。
【００６２】
ある場面において、ユーザにより手動で実行主体を操作するのは不便である。このとき、インターフェースは、音声制御アプリケーションインターフェースを含んでもよい。音声制御アプリケーションインターフェースは、ユーザにより送信される音声信号を監視し、音声信号に基づいてユーザの操作したいアプリケーションを確定し、次いで、対応する情報を表示するようにインターフェースを制御することができる。例えば、実行主体が車載用携帯電話ホルダーに接続されている場合、ユーザが運転場面にいると見なすことができる。その後、実行主体は、照会されたインターフェース表示情報によって、音声制御アプリケーションインターフェースを含むインターフェースを確定することができる。ユーザが電話をかける又は受ける必要があるとき、ユーザは音声信号を送信することができ、その結果、音声制御アプリケーションインターフェースに対応する音声制御アプリケーションは、音声信号を認識し、対応する連絡先にダイヤルするように電話アプリケーションを制御して、ユーザの運転場面のニーズに応える。
【００６３】
本実施形態のいくつかの選択的な実施形態において、上記インターフェースは、上記インターフェースに対応するプッシュ情報を表示するための情報プッシュインターフェースを含んでもよい。
【００６４】
ある場面において、ユーザは、情報に基づいて決定を下すように、当該場面に関する情報を即時に取得しなければならない場合がある。例えば、ユーザが運転場面であるとき、ユーザが道路状況情報または天気情報に基づいて走行経路を即時に調整するように、情報プッシュインターフェースを介して道路状況情報または天気情報を即時に取得することができる。
【００６５】
続いて、図３を参照すると、図３は、本実施形態によるインターフェースを表示するための方法の適用場面の模式図である。図３の応用場面において、ユーザは、知能端末１０５を介して端末装置１０１とデータ接続を確立することができる。知能端末１０５は、端末装置１０１のデバイス情報を取得し、現在の場面が運転場面であると判定する。その後、知能端末１０５は、インストールされた電子地図アプリケーション、音楽アプリケーション、及び電話アプリケーションを呼び出し、電子地図、音楽、及び電話などのアプリケーションを含むインターフェースを知能端末１０５の画面に表示する。
【００６６】
本発明の上記実施形態によって提供される方法は、まず、知能端末と接続が確立されたデバイスのデバイス関連情報を取得し、次に、接続確立済みデバイスのデバイス関連情報に対応するインターフェース表示情報を照会し、最後に、インターフェース表示情報に基づいて、対応するインターフェースを表示する。これにより、インターフェースは、接続確立済みデバイスに基づいて、対応するインターフェースを表示することができ、ユーザの現在の場面に対する実行主体の適応能力およびユーザの情報取得効率を向上させることができる。
【００６７】
さらに、図４を参照し、表示インターフェースを構築する一実施形態のフロー４００を示す。表示インターフェースを構築するプロー４００は、次のステップを含む。
【００６８】
ステップ４０１において、場面情報に対応する少なくとも１つのアプリケーションを確定する。
【００６９】
本実施形態において、表示インターフェース方法を構成する実行主体（例えば、図１に示すサーバ１０９）は、有線接続または無線接続を介して知能端末１０４、１０５、１０６とデータ接続を確立することができる。上記無線接続方式は、３Ｇ／４Ｇ接続、ＷｉＦｉ接続、Ｂｌｕｅｔｏｏｔｈ接続、ＷｉＭＡＸ接続、Ｚｉｇｂｅｅ接続、ＵＷＢ（ウルトラワイドバンド）接続、および現在知られているかまたは将来開発される他の無線接続方法を含んでもよいが、これらに限定されない。本実施形態の本体は、複数の場面情報を予め設定し、複数の場面情報の中の各場面情報に対応する少なくとも１つのアプリケーションを決定してもよい。例えば、場面情報は、運転場面、屋内場面、及び屋外場面などを含んでもよい。運転場面において、実行主体は、電子地図アプリケーション、音楽アプリケーション、及び電話アプリケーションなどを含む、ユーザによって一般的に使用されるアプリケーションを設定することができる。実行主体は、他の場面に対応するアプリケーションを設定することもでき、それについてここでは説明しない。
【００７０】
ステップ４０２において、少なくとも１つのアプリケーションのそれぞれに対して、場面情報に基づいて、当該アプリケーションの表示優先度およびアプリケーション状態識別子を設定する。
【００７１】
ユーザのニーズは、場面情報ごとに異なる可能性がある。例えば、運転場面において、ユーザは電子地図を最も必要とし、次に音楽であり、電話は時折必要とされる可能性がある。この目的のために、実行主体は、電子地図アプリケーションに最も高い表示優先度、音楽アプリケーションに次の表示優先度、電話アプリケーションに最低の表示優先度を設定することができる。通常に、知能端末１０４、１０５、１０６の画面は大きくない。複数のアプリケーションの実行状態情報を表示するために、実施形態の実行主体は、各アプリケーションに対して、対応するアプリケーション状態識別子を設定することができる。ここで、アプリケーション状態識別子は、対応するアプリケーションの簡略化された識別子と見なすことができ、アプリケーション状態識別子は、対応するアプリケーションの実行状態情報を識別するために使用することができる。例えば、電子地図アプリケーションのインターフェースは、電子地図、検索バー、ユーザ情報、および様々な設定オプションを含む。しかしながら、電子地図アプリケーションインターフェースの多くの機能は、運転中に常に必要であるとは限らない。このために、電子地図アプリケーションに対応するアプリケーション状態識別子は、他の情報または機能を表示せずに電子地図のみを表示することができる。このとき、対応する走行状態情報は、電子地図に表示されている情報であってもよい。電話アプリケーションは、ユーザのアバター、ユーザ名、通話時間、接続識別子、及び切断識別子などの情報を表示することができる。電話アプリケーションに対応するアプリケーション状態識別子は、ユーザのアバターや通話時間などの情報を表示せずに、通話対象の名前、接続識別子、および切断識別子のみを表示することができる。対応する実行状態情報は、接続状態または切断状態であってもよい。これにより、知能端末１０４、１０５、１０６の画面を介して複数のアプリケーションの情報を同時に表示することができる。
【００７２】
ステップ４０３において、表示優先度に従ってアプリケーションのアプリケーションインターフェースを設定し、アプリケーション状態識別子を対応するアプリケーションインターフェースに表示する。
【００７３】
表示優先度およびアプリケーション状態識別子を設定した後、実行主体は、表示優先度の高い順にアプリケーションのアプリケーションインターフェースを設定することができる。その後、アプリケーション状態識別子をアプリケーションインターフェースに表示し、表示インターフェースの構築が完了する。なお、実行主体は、レイアウトが異なる複数のアプリケーションインターフェースを設定してもよい。ユーザは、実際の必要に応じて、知能端末１０４、１０５、１０６上の異なるレイアウトの表示インターフェースを選択し、または自分で表示インターフェースを定義することができる。
【００７４】
さらに、図５を参照すると、上記図面に示す方法の実現として、本発明は、インターフェースを表示するための装置の実施形態を提供し、当該装置の実施形態は、図２に示す方法の実施形態に対応する。本装置は、具体的に様々な電子機器に適用することができる。
【００７５】
図５に示すように、本実施形態のインターフェースを表示するための装置５００は、デバイス関連情報取得ユニット５０１と、インターフェース表示情報照会ユニット５０２と、インターフェース表示ユニット５０３とを備える。デバイス関連情報取得ユニット５０１は、接続確立済みデバイスのデバイス関連情報を取得するように構成され、インターフェース表示情報照会ユニット５０２は、上記接続確立済みデバイスのデバイス関連情報に対応するインターフェース表示情報を照会するように構成され、インターフェース表示ユニット５０３は、上記インターフェース表示情報に基づいて対応するインターフェースを表示するように構成される。
【００７６】
本実施形態のいくつかの選択的な実施形態において、上記デバイス関連情報は、上記接続確立済みデバイスのデバイスタイプ情報および／または上記接続確立済みデバイスの場面情報を含む。
【００７７】
本実施形態のいくつかの選択的な実施形態において、上記インターフェース表示情報照会ユニット５０２は、接続確立済みデバイスのデバイスタイプ情報に対応するインターフェース表示情報を照会するように構成される第１の照会サブユニット（図示せず）を含んでもよい。
【００７８】
本実施形態のいくつかの選択的な実施形態において、上記インターフェース表示情報照会ユニット５０２は、接続確立済みデバイスの場面情報に対応するインターフェース表示情報を照会するように構成される第２の照会サブユニット（図示せず）を含んでもよい。
【００７９】
本実施形態のいくつかの選択的な実施形態において、上記インターフェース表示ユニット５０３は、インターフェース確定サブユニット（図示せず）、接続確立サブユニット（図示せず）、および表示サブユニット（図示せず）を含んでもよい。ここで、インターフェース確定サブユニットは、インターフェース表示情報に基づいて、少なくとも１つのアプリケーションインターフェースを含むインターフェースを確定するように構成され、接続確立サブユニットは、上記少なくとも１つのアプリケーションインターフェースのそれぞれに対して、当該アプリケーションインターフェースと対応するアプリケーションとの接続を確立するように構成され、表示サブユニットは、対応するアプリケーションの実行状態情報をアプリケーションインターフェースに表示するように構成される。
【００８０】
本実施形態のいくつかの選択的な実施形態において、上記表示サブユニットは、上記接続確立済みデバイスとアプリケーションとの接続確立に応答して、上記接続確立済みデバイスの実行状態情報を、当該アプリケーションに対応するアプリケーションインターフェースに表示するように構成される表示モジュールを含んでもよい。
【００８１】
本実施形態のいくつかの選択的な実施形態において、上記インターフェースは、受信された音声信号に基づいて上記インターフェース表示情報を制御するための音声制御アプリケーションインターフェースを含んでもよい。
【００８２】
本実施形態のいくつかの選択的な実施形態において、上記インターフェースは、上記インターフェースに対応するプッシュ情報を表示するための情報プッシュインターフェースを含んでもよい。
【００８３】
本実施形態のいくつかの選択的な実施形態において、インターフェースを表示するための装置５００は、インターフェースを構築するように構成されるインターフェース構成ユニット（図示せず）を含んでもよい。上記インターフェース構成ユニットは、アプリケーション確定サブユニット（図示せず）、情報設定サブユニット（図示せず）、及びインターフェース構築サブユニット（図示せず）を含んでもよい。ここで、アプリケーション確定サブユニットは、場面情報に対応する少なくとも１つのアプリケーションを確定するように構成され、情報設定サブユニットは、上記少なくとも１つのアプリケーションのそれぞれに対して、場面情報に基づいて、当該アプリケーションの表示優先度およびアプリケーション状態識別子を設定するように構成され、上記アプリケーション状態識別子は、対応するアプリケーションの実行状態情報を示し、インターフェース構築サブユニットは、表示優先度に従ってアプリケーションのアプリケーションインターフェースを設置し、アプリケーション状態識別子を対応するアプリケーションインターフェースに表示するように構成される。
【００８４】
本実施形態は、電子機器をさらに提供する。上記電子機器は、一つ又は複数のプロセッサと、一つ又は複数のプログラムが記憶されている記憶装置と、を備え、上記一つ又は複数のプログラムが上記一つ又は複数のプロセッサにより実行されると、上記一つ又は複数のプロセッサに上記インターフェースを表示するための方法を実現させる。
【００８５】
本実施形態は、コンピュータプログラムが記憶されているコンピュータ可読媒体をさらに提供する。当該プログラムがプロセッサにより実行されると、上記インターフェースを表示するための方法を実現させる。
【００８６】
以下、図６を参照し、本発明の実施形態の電子機器（例えば、図１に示す知能端末１０４、１０５、１０６）を実現するのに適するコンピュータシステム６００の構成の模式図を示す。図６に示す電子機器は、一例に過ぎず、本発明の実施形態の機能及び使用範囲を限定するものではない。
【００８７】
図６に示すように、コンピュータシステム６００は、読み出し専用メモリ（ＲＯＭ）６０２に記憶されているプログラム又は記憶部６０８からランダムアクセスメモリ（ＲＡＭ）６０３にロードされたプログラムによって様々な適当な動作及び処理を実行することができる中央処理装置（ＣＰＵ）６０１を備える。ＲＡＭ６０３には、システム６００の動作に必要な様々なプログラム及びデータが更に記憶されている。ＣＰＵ６０１、ＲＯＭ６０２及びＲＡＭ６０３は、バス６０４を介して互いに接続されている。入力／出力（Ｉ／Ｏ）インターフェース６０５もバス６０４に接続されている。
【００８８】
キーボートやマウスなどを含む入力部６０６、液晶ディスプレイ（ＬＣＤ）など、及びスピーカなどを含む出力部６０７、ハードディスクなどを含む記憶部６０８、並びにＬＡＮカード、モデムなどを含むネットワークインターフェースカードの通信部６０９は、Ｉ／Ｏインターフェース６０５に接続されている。通信部６０９は、例えばインターネットのようなネットワークを介して通信処理を実行する。ドライブ６１０は、必要に応じてＩ／Ｏインターフェース６０５に接続される。リムーバブルメディア６１１は、例えば、マグネチックディスク、光ディスク、光磁気ディスク、半導体メモリなどのようなものであり、必要に応じてドライブ６１０に取り付けられ、したがって、リムーバブルメディア６１１から読み出されたコンピュータプログラムが必要に応じて記憶部６０８にインストールされる。
【００８９】
特に、本発明の実施形態によれば、上記のフローチャートを参照しながら記載されたプロセスは、コンピュータのソフトウェアプログラムとして実現されてもよい。例えば、本発明の実施形態は、コンピュータ可読媒体に具現化されるコンピュータプログラムを含むコンピュータプログラム製品を備え、該コンピュータプログラムは、フローチャートで示される方法を実行するためのプログラムコードを含む。このような実施形態において、当該コンピュータプログラムは、通信部６０９を介してネットワークからダウンロードされてインストールされてもよく、及び／又はリムーバブルメディア６１１からインストールされてもよい。当該コンピュータプログラムが中央処理装置（ＣＰＵ）６０１によって実行されるとき、本発明の方法で限定された上記の機能が実行される。
【００９０】
注意すべきこととして、本発明の前記コンピュータ可読媒体は、コンピュータ可読信号媒体又はコンピュータ可読記憶媒体、又はこれらの任意の組み合わせであってもよい。コンピュータ可読記憶媒体は、例えば、電子、磁気、光学、電磁気、赤外線、又は半導体システム、装置又はデバイス、又はこれらの任意の組み合わせであることができるが、これらに限定されない。コンピュータ可読記憶媒体のより具体的な例は、一本以上の導線を有する電気的接続、ポータブルコンピュータディスク、ハードディスク、ランダムアクセスメモリ（ＲＡＭ）、読み出し専用メモリ（ＲＯＭ）、消去可能プログラマブル読み出し専用メモリ（ＥＰＲＯＭ又はフラッシュメモリ）、光ファイバ、ポータブルコンパクトディスク読み出し専用メモリ（ＣＤ−ＲＯＭ）、光メモリ、磁気メモリ、又はこれらの任意の適切な組み合わせを含むことができるが、これらに限定されない。本発明において、コンピュータ可読記憶媒体は、命令実行システム、装置又はデバイスによって使用可能な、又はそれらに組み込まれて使用可能なプログラムを包含又は記憶する任意の有形の媒体であってもよい。本発明において、コンピュータ可読信号媒体は、ベースバンド内で、又はキャリアの一部として伝搬される、コンピュータ可読プログラムコードが担持されたデータ信号を含んでもよい。このような伝搬されたデータ信号は、様々な形態をとることができ、電磁信号、光信号、又はこれらの任意の適切な組み合わせを含むことができるがこれらに限定されない。コンピュータ可読信号媒体は、更にコンピュータ可読記憶媒体以外の任意のコンピュータ可読媒体であってもよい。該コンピュータ可読媒体は、命令実行システム、装置、又はデバイスによって使用されるか、又はそれらに組み込まれて使用されるプログラムを、送信、伝搬又は転送することができる。コンピュータ可読媒体に含まれるプログラムコードは任意の適切な媒体で送信することができ、無線、有線、光ケーブル、ＲＦなど、又はこれらの任意の適切な組み合わせを含むがこれらに限定されない。
【００９１】
図面におけるフローチャート及びブロック図は、本発明の各実施形態に係るシステム、方法及びコンピュータプログラム製品により実現可能なアーキテクチャ、機能及び操作を示す。ここで、フローチャート又はブロック図における各枠は、１つのモジュール、プログラムセグメント又はコードの一部を表してもよく、当該モジュール、プログラムセグメント、又はコードの一部は、規定されたロジック機能を達成するための１つ以上の実行可能な命令を含む。なお、いくつかの代替実施態様において、枠内に示された機能は、図面に示された順番とは異なるもので実行されてもよい。例えば、連続して示された２つの枠は、実際には関連する機能に応じて、ほぼ並行に実行されてもよく、逆の順番で実行されてもよい。なお、ブロック図及び／又はフローチャートにおける各枠、並びに、ブロック図及び／又はフローチャートにおける枠の組み合わせは、規定された機能又は動作を実行する、ハードウェアに基づく専用システムで実現されてもよく、又は、専用ハードウェアとコンピュータ命令との組み合わせで実行されてもよい。
【００９２】
本発明の実施形態に記載されたユニットは、ソフトウェアで実現されてもよく、ハードウェアで実現されてもよい。記載されたユニットは、プロセッサに設定されてもよく、例えば、「プロセッサは、デバイス関連情報取得ユニットと、インターフェース表示情報照会ユニットと、インターフェース表示ユニットとを備える」と記載されてもよい。ここで、これらのユニットの名称は、ある場合において当該ユニット自体を限定するものではなく、例えば、インターフェース表示ユニットは、「インターフェースを表示するためのユニット」と記載されてもよい。
【００９３】
一方、本発明は、コンピュータ可読媒体を更に提供し、当該コンピュータ可読媒体は、上記実施形態に記載された装置に含まれるものであってもよく、独立に存在して当該装置に組み立てられていないものであってもよい。上記コンピュータ可読媒体には一つ又は複数のプログラムが担持され、上述した一つ又は複数のプログラムが当該装置によって実行されると、当該装置は、続確立済みデバイスのデバイス関連情報を取得し、上記接続確立済みデバイスのデバイス関連情報に対応するインターフェース表示情報を照会し、上記インターフェース表示情報に基づいて、対応するインターフェースを表示する。
【００９４】
以上の記載は、本発明の好ましい実施例、及び使用された技術的原理の説明に過ぎない。本発明に係る発明の範囲が、上記の技術的特徴の特定な組み合わせからなる技術案に限定されることではなく、上記の本発明の趣旨を逸脱しない範囲で、上記の技術的特徴又はそれらの同等の特徴を任意に組み合わせたものからなる他の技術案も含むべきであることを、当業者は理解すべきである。例えば、上記の特徴と、本発明に開示された類似の機能を持っている技術的特徴（これらに限定されていない）とを互いに置き換えてなる技術案が挙げられる。
【図１】
2020005247.tif 000003
【図２】
2020005247.tif 000004
【図３】
2020005247.tif 000005
【図４】
2020005247.tif 000006
【図５】
2020005247.tif 000007
【図６】
2020005247.tif 000008
【外国語明細書】
2020005247000001.pdf
2020005247000002.pdf
2020005247000003.pdf
2020005247000004.pdf